(57)【要約】【課題】  印刷用紙サイズに応じた適切な領域のスキャン画像を無駄なく取得する。【解決手段】  印刷用紙サイズの設定情報に基づいて印刷用紙サイズのアスペクト比に応じたアスペクト比の原稿内領域を読み取り範囲として設定する読み取り範囲設定手段と、  前記読み取り範囲を撮像部に読み取らせることによりスキャン画像を前記撮像部から取得するスキャン画像取得手段と、を備えることを特徴とする撮像制御装置。【選択図】      図１
2005341228.tif 000002
【特許請求の範囲】
【請求項１】
印刷用紙サイズの設定情報に基づいて印刷用紙サイズのアスペクト比に応じたアスペクト比の原稿内領域を読み取り範囲として設定する読み取り範囲設定手段と、
前記読み取り範囲を撮像部に読み取らせることによりスキャン画像を前記撮像部から取得するスキャン画像取得手段と、
を備えることを特徴とする撮像制御装置。
【請求項２】
前記印刷用紙サイズの設定操作を受け付ける用紙設定手段をさらに備えることを特徴とする撮像制御装置。
【請求項３】
原稿の予め決められた範囲を前記撮像部に読み取らせることによりプレスキャン画像を取得するプレスキャン画像取得手段と、
前記プレスキャン画像と前記読み取り範囲に対応した画面内領域を示すマークとを重ねて前記画面に表示し、アスペクト比を一定に維持した前記画面内領域の変更操作を受け付ける範囲変更手段をさらに備えることを特徴とする請求項１又は２に記載の撮像制御装置。
【請求項４】
前記スキャン画像を印刷装置で前記印刷用紙サイズの設定情報に応じた印刷用紙に印刷させる印刷制御手段をさらに備えることを特徴とする請求項１、２又は３に記載の撮像制御装置。
【請求項５】
前記印刷用紙サイズの設定情報に応じて前記撮像部の解像度を設定する解像度設定手段をさらに備えることを特徴とする請求項１から４のいずれか一項に記載の撮像制御装置。
【請求項６】
印刷品質の設定情報に応じて前記撮像部の解像度を設定する解像度設定手段をさらに備えることを特徴とする請求項１から４のいずれか一項に記載の撮像制御装置。
【請求項７】
請求項１から６のいずれか一項に記載の撮像制御装置と、
前記撮像部と、
を備えることを特徴とする撮像システム。
【請求項８】
前記スキャン画像を外部記憶媒体に保存する保存手段をさらに備えることを特徴とする請求項７に記載の撮像システム。
【請求項９】
印刷用紙サイズの設定情報に基づいて印刷用紙サイズのアスペクト比に応じたアスペクト比の原稿内領域を読み取ることによりスキャン画像を取得することを特徴とする撮像方法。
【請求項１０】
印刷用紙サイズの設定情報に基づいて印刷用紙サイズのアスペクト比に応じたアスペクト比の原稿内領域を読み取り範囲として設定する読み取り範囲設定手段と、
前記読み取り範囲を撮像部に読み取らせることによりスキャン画像を前記撮像部から取得するスキャン画像取得手段と、
してコンピュータを機能させることを特徴とする撮像制御プログラム。
【発明の詳細な説明】
【技術分野】
【０００１】
本発明は、撮像制御装置、撮像システム、撮像制御方法及び撮像制御プログラムに関し、特に原稿読み取り範囲の設定方法に関する。
【背景技術】
【０００２】
従来、パーソナルコンピュータ（ＰＣ）の制御下でスキャナに原稿を読み取らせ、スキャナが読み取った原稿をＰＣでユーザが設定したサイズの印刷用紙にプリンタで印刷させる画像処理システムが知られている。ユーザが設定する印刷用紙サイズのアスペクト比と原稿のアスペクト比とが異なる場合、原稿全体のスキャン画像の一部を切り出して印刷用紙に配置したり、印刷用紙に原稿の全体像が収まるように原稿全体のスキャン画像を拡大縮小する処理が必要になる。しかし、原稿全体のスキャン画像の一部が切り出されて印刷用紙に配置される場合、切り出される領域の読み取り処理及び画像処理が無駄になるという問題がある。
【０００３】
また、プレスキャン画像と読み取り範囲に対応する矩形枠とを画面表示した状態で矩形枠の変形操作を受け付けることにより、任意の読み取り範囲を設定可能な画像処理システムが知られている。しかし、印刷用紙の紙面全面にスキャン画像が配置されるように読み取り範囲をユーザが設定しようとしても、印刷用紙のアスペクト比と同一のアスペクト比の読み取り範囲を画面上で設定することは困難である。
【発明の開示】
【発明が解決しようとする課題】
【０００４】
本発明は、上記の問題を解決するために創作されたものであって、印刷用紙サイズに応じた適切な領域のスキャン画像を無駄なく取得するための撮像制御装置、撮像システム、撮像制御方法及び撮像制御プログラムを提供することを目的とする。
【課題を解決するための手段】
【０００５】
上記目的を達成するための撮像制御装置は、印刷用紙サイズの設定情報に基づいて印刷用紙サイズのアスペクト比に応じたアスペクト比の原稿内領域を読み取り範囲として設定する読み取り範囲設定手段と、前記読み取り範囲を撮像部に読み取らせることによりスキャン画像を前記撮像部から取得するスキャン画像取得手段と、を備える。印刷用紙サイズの設定情報に基づいて原稿の一部領域を撮像部に読み取らせることにより、撮像制御装置は、印刷用紙サイズに応じた適切な領域のスキャン画像を無駄なく取得することが可能になる。
【０００６】
上記目的を達成するための撮像制御装置は、前記印刷用紙サイズの設定操作を受け付ける用紙設定手段をさらに備えてもよい。
上記目的を達成するための撮像制御装置は、原稿の予め決められた範囲を前記撮像部に読み取らせることによりプレスキャン画像を取得するプレスキャン画像取得手段と、前記プレスキャン画像と前記読み取り範囲に対応した画面内領域を示すマークとを重ねて前記画面に表示し、アスペクト比を一定に維持した前記画面内領域の変更操作を受け付ける範囲変更手段をさらに備えてもよい。これにより、印刷用紙サイズのアスペクト比に応じたアスペクト比の読み取り範囲をユーザは容易に設定できるようになる。
【０００７】
上記目的を達成するための撮像制御装置は、前記スキャン画像を印刷装置で前記印刷用紙サイズの設定情報に応じた印刷用紙に印刷させる印刷制御手段をさらに備えてもよい。
上記目的を達成するための撮像制御装置は、前記印刷用紙サイズの設定情報に応じて前記撮像部の解像度を設定する解像度設定手段をさらに備えてもよい。これにより、印刷品質を高く維持しつつ、読み取りから印刷までの処理を高速化することができる。
【０００８】
上記目的を達成するための撮像制御装置は、印刷品質の設定情報に応じて前記撮像部の解像度を設定する解像度設定手段をさらに備えてもよい。これにより、印刷品質に応じて読み取りから印刷までの処理を高速化することができる。
上記目的を達成するための撮像システムは、上記目的を達成するための上記いずれかの撮像制御装置と、前記撮像部とを備える。
【０００９】
上記目的を達成するための撮像システムは、前記スキャン画像を外部記憶媒体に保存する保存手段をさらに備えてもよい。
上記目的を達成するための撮像方法は、印刷用紙サイズの設定情報に基づいて印刷用紙サイズのアスペクト比に応じたアスペクト比の原稿内領域を読み取ることによりスキャン画像を取得する。印刷用紙サイズの設定情報に基づいて原稿の一部領域を撮像部が読み取ることにより、印刷用紙サイズに応じた適切な領域のスキャン画像を取得することが可能になる。
【００１０】
上記目的を達成するための撮像制御プログラムは、印刷用紙サイズの設定情報に基づいて印刷用紙サイズのアスペクト比に応じたアスペクト比の原稿内領域を読み取り範囲をとして設定する読み取り範囲設定手段と、前記読み取り範囲を撮像部に読み取らせることによりスキャン画像を前記撮像部から取得するスキャン画像取得手段と、してコンピュータを機能させる。印刷用紙サイズの設定情報に基づいて原稿の一部領域を撮像部に読み取らせることにより、コンピュータは、印刷用紙サイズに応じた適切な領域のスキャン画像を無駄なく取得することが可能になる。
【００１１】
尚、本発明に備わる複数の手段の各機能は、構成自体で機能が特定されるハードウェア資源、プログラムにより機能が特定されるハードウェア資源、又はそれらの組み合わせにより実現される。また、これら複数の手段の各機能は、各々が物理的に互いに独立したハードウェア資源で実現されるものに限定されない。
【発明を実施するための最良の形態】
【００１２】
以下、本発明を実施するための最良の形態を実施例に基づいて説明する。
図２は本発明の撮像システムの一実施例としてのスキャナ１の外観を示す斜視図である。図３はスキャナ１の内部構造を示す模式図である。図４はスキャナ１を示すブロック図である。スキャナ１は図示しないＰＣから独立して作動可能な原稿搬送型の画像読み取り装置である。スキャナ１は原稿を読み取って生成したスキャン画像を請求項に記載の外部記憶媒体としてのリムーバブルメモリ３に保存可能である。スキャナ１はスキャン画像を請求項に記載の印刷装置としてのプリンタ２に印刷させることができる。スキャナ１はＰＣの制御下でも作動し、スキャン画像をＰＣにも出力可能である。なお、スキャナ１はフラットベッド型の画像読み取り装置であっても良い。
【００１３】
原稿ホルダ１０２は、３５ｍｍストリップフィルム、３５ｍｍマウントフィルム、４×５インチ等の各種形式のフィルム又は紙焼き写真等の原稿１０４を保持する。原稿ホルダ１０２は筐体１０６に形成されたスロット１０８から筐体１０６の内部に挿入される。筐体１０６の内部では、原稿ホルダ１０２は複数のローラ１１０によってＡＢ方向に往復移動自在に支持される。モータ１１２は図示しないギア等の動力伝達装置を介してローラ１１０を駆動し原稿ホルダ１０２を往復移動させる。
【００１４】
第一光源１１４、第二光源１１６、第三光源１１８は、それぞれ原稿１０４が反射原稿、ポジフィルム、ネガフィルムである場合に使用される白色冷陰極蛍光ランプ等の照明手段である。第一光源１１４と第二光源１１６と第三光源１１８は原稿ホルダ１０２によって所定位置に保持された原稿１０４を照明する。３つの光源を原稿種別によって使い分けることにより、原稿色の再現性を向上させることができる。
【００１５】
ミラー１２０及びレンズ１２２は、第一光源１１４に照明された原稿１０４の反射光と、第二光源１１６又は第三光源１１８に照明された原稿１０４の透過光とをイメージセンサ１２４の受光面に入射させる。
イメージセンサ１２４は、フォトダイオード等で構成される図示しないセルが直線的に多数配列された所謂リニアイメージセンサである。イメージセンサ１２４の各セルには受光量に応じた電荷が光電変換により蓄積される。イメージセンサ１２４は、レンズ縮小型でもよいし、密着型でもよいし、ＣＣＤイメージセンサでもよいし、ＣＭＯＳイメージセンサでもよい。
【００１６】
ＡＦＥ（Analog Front End）１２６は、ＣＤＳ（Correlated Double Sampling）処理、画像の黒レベルを再現するためのオプティカル・ブラック・クランプ制御、画像の電気信号のゲインの調整による電気信号のレベル調整処理、量子化処理等を行ってディジタル化されたスキャン画像を画像処理部１２８に出力する。
画像処理部１２８は、ガンマ補正、画質調整、拡大縮小、色空間変換、データ圧縮等の画像処理をスキャン画像に施すための信号処理を制御部１３０と協働して行うＤＳＰ（Digital Signal Processor）である。
以上説明した第一光源１１４と第二光源１１６と第三光源１１８とモータ１１２とミラー１２０とレンズ１２２とイメージセンサ１２４とＡＦＥ１２６と画像処理部１２８とは、撮像部１２を構成している。
【００１７】
制御部１３０は、図示しないＣＰＵとＲＯＭとＲＡＭと入出力インタフェイスとを備える。制御部１３０は、ＲＯＭに記憶されている制御プログラムをＲＡＭにロードしてＣＰＵで実行することによって、スキャナ１の全体を制御する撮像制御装置として機能する。また制御部１３０は、画像処理部１２８と協働してガンマ補正、画質調整、拡大縮小、色空間変換、データ圧縮等の画像処理をスキャン画像に施す。ＲＯＭに記憶する制御プログラムは、請求項に記載の撮像制御プログラムに相当し、所定のサーバからネットワークを介してダウンロードしてもよいし、コンピュータ読み取り可能な記憶媒体から読み込んでもよい。制御部１３０は、インタフェイス１３２を介してプリンタ２、図示しないＰＣ等の外部機器と通信する。制御部１３０は、請求項に記載の読み取り範囲設定手段と、スキャン画像取得手段と、プレスキャン画像取得手段と、印刷制御手段と、解像度設定手段として機能する。
【００１８】
保存手段としてのメモリコントローラ１３４には、外部記憶媒体としてのリムーバブルメモリ３が脱着自在に接続される。リムーバブルメモリ３は筐体１０６に形成されたカードスロット１３４０から筐体１０６の内部に挿入される。メモリコントローラ１３４は、画像処理部１２８から出力されるスキャン画像等をリムーバブルメモリ３に格納する。なお、スキャナ１は、スキャン画像をＰＣのハードディスクや、外付けのＤＶＤドライブ、ＣＤＲドライブ等に保存しても良いし、ネットワークに接続されたサーバにスキャン画像をアップロードしても良い。
【００１９】
操作部１３６は、ユーザがスキャナ１を操作するための各種のキーを備えている。操作部１３６は、ほとんど全ての操作を十字キー１３６０とＯＫキー１３６２とキャンセルキー１３６４によるメニュー操作で受け付ける。モード選択キー１３６６、１３６８、１３６９、１３６７が押下されると、それぞれのキーに応じたモードでスキャナ１が作動する。
【００２０】
表示部１３８は、ユーザがスキャナ１を操作するためのメニューを表示するための画面１３８０を備えている。画面１３８０はＬＣＤ等で構成される。
以上説明した操作部１３６及び表示部１３８は、制御部１３０と協働することにより請求項に記載の用紙設定手段と範囲変更手段として機能する。また、操作部１３６、表示部１３８及び制御部１３０は、請求項に記載の撮像制御装置の一例を構成している。
【００２１】
図５は、制御プログラムを制御部１３０で実行しているスキャナ１の論理的な構成を示すブロック図である。
印刷設定部１４０は、表示部１３８の画面１３８０に印刷設定メニューを表示し、操作部１３６の出力信号に応じて、印刷用紙サイズと、印刷品質と、フチの有無とを特定する印刷設定情報を設定する。尚、印刷用紙サイズを変更する専用キーや印刷品質を変更する専用キーの押下によって、表示部１３８の画面１３８０を用いずに、印刷用紙サイズや印刷品質の設定操作を受け付けてもよい。また、印刷用紙サイズは、Ａ３、Ａ４、Ｌ版等の規格サイズを設定可能にしても良いし、ミリ単位又はインチ単位で設定可能にしても良い。
【００２２】
範囲変更部１４２は、表示部１３８の画面１３８０にプレスキャン画像と読み取り範囲に対応した矩形枠とを重ねて表示し、操作部１３６の出力信号に応じて矩形枠を変更する。この矩形枠は請求項に記載の「読み取り範囲に対応した画面内領域を示すマーク」に相当する。範囲変更部１４２は、プレスキャン画像を拡大縮小せずにそのままの大きさで矩形枠とともに表示部１３８の画面１３８０に表示する。なお、範囲変更部１４２はプレスキャン画像を拡大縮小して表示しても良い。印刷設定メニューの操作によってトリミング枠が用紙比率の設定になっている場合、範囲変更部１４２は、矩形枠のアスペクト比を印刷用紙サイズのアスペクト比に応じた値で一定に維持しつつ、矩形枠の移動操作及び拡大縮小操作を受け付ける。より具体的には例えば、範囲変更部１４２は、印刷用紙サイズのアスペクト比と同一のアスペクト比に矩形枠を維持する。印刷設定メニューの操作によってトリミング枠が任意比率の設定になっている場合、範囲変更部１４２は、矩形枠の移動操作、アスペクト比の変更操作及び拡大縮小操作を受け付ける。尚、「読み取り範囲に対応した画面内領域を示すマーク」は、矩形枠でなくても、例えば、読み取り範囲に対応した画面内領域の四隅を示す４つのマーク（十字形、Ｌ字形等）であってもよいし、画面内領域に一致する半透明の矩形であってもよい。また、矩形領域をフルカラーで表示し、画面内領域の外側の領域をモノクロで表示するなど、画面内領域の内外で階調表現や画質を変えることによって、読み取り範囲に対応した画面内領域を示してもよい。また、矩形枠のアスペクト比は、印刷用紙サイズのアスペクト比と一致していなくても、例えば左右上下のフチを除いた印刷範囲のアスペクト比と一致させてもよいし、四辺フチ無し印刷時に印刷用紙からはみ出すマージンを含めた印刷範囲のアスペクト比と一致させても良い。
【００２３】
解像度設定部１４４は、印刷設定部１４０によって設定された印刷用紙サイズ及び印刷品質に応じて撮像部１２の解像度を設定する。具体的には、印刷品質に応じて印刷解像度を変化させ、印刷範囲と印刷解像度との積算値であるスキャン画像のサイズと読み取り範囲のサイズとに応じて撮像部１２の解像度を設定する。印刷品質が高いほど、また、印刷範囲が広いほど撮像部の解像度を上げ、逆に、印刷品質が低いほど、また、印刷範囲が狭いほど撮像部１２の解像度を下げることにより、撮像部１２は印刷設定に応じた適切な処理量でスキャン画像を生成することができる。なお、解像度設定部は、印刷品質、印刷用紙サイズのいずれか一方のみに応じて解像度を設定しても良いし、印刷品質及び印刷用紙サイズに加えてそれら以外の設定に応じても解像度を設定しても良い。
【００２４】
プレスキャン画像取得部１４６は、原稿ホルダ１０２によって決まるプレスキャン範囲を撮像部１２に読み取らせることにより１又は２以上のプレスキャン画像を取得する。具体的には、原稿ホルダ１０２に３５ｍｍストリップフィルムがセットされている場合、プレスキャン画像取得部１４６は、原稿ホルダ１０２の種類を検出した後にフィルムの露光対象領域全体をプレスキャン範囲として設定し、プレスキャン範囲を比較的低解像度で撮像部１２に読み取らせる。次に撮像部１２に読み取らせて得た画像をプレスキャン画像取得部１４６が解析し、被写体が記録されているフレームの領域を全て抽出し、抽出したそれぞれの画像をプレスキャン画像とする。また、原稿ホルダ１０２に３５ｍｍマウントフィルムがセットされている場合、プレスキャン画像取得部１４６は原稿ホルダ１０２の種類を検出した後に原稿ホルダ１０２の複数の開口部に対応する複数のプレスキャン範囲をそれぞれ比較的低解像度で撮像部１２に読み取らせ、撮像部１２が読み取って得たそれぞれの画像をプレスキャン画像とする。
【００２５】
読み取り範囲設定部１４８は、範囲変更部１４２によって設定された矩形枠に応じて読み取り範囲を設定する。具体的には、プレスキャン画像に対する矩形枠のサイズの割合にプレスキャン範囲を掛けた値を読み取り範囲のサイズとして設定する。例えば、幅１．５インチ、高さ１インチの領域を読み取った１５０×１００画素のプレスキャン画像に対して矩形枠が１０５×７０画素であったとすると、読み取り範囲のサイズは、幅：Ｗ（インチ）＝１．５×１０５／１５０、高さ：Ｈ（インチ）＝１×７０／１００となる。
【００２６】
スキャン画像取得部１５０は、読み取り範囲設定部１４８によって設定された読み取り範囲を解像度設定部１４４によって設定された解像度で撮像部１２に読み取らせ、スキャン画像を取得する。
印刷制御部１５２は、スキャン画像取得部１５０で取得したスキャン画像を、印刷設定部１４０によって設定された印刷条件でプリンタ２に印刷させる。具体的には、印刷制御部１５２は、印刷設定に基づいてスキャン画像にハーフトーン処理、インターレース処理等を施して印刷データを生成し、印刷設定に応じた印刷コマンドと印刷データとをプリンタ２に出力し、印刷設定に応じてプリンタ２にスキャン画像を印刷させる。
以上、スキャナ１の構成を説明した。以下、スキャナ１の作動を説明する。
【００２７】
図１は、前述の制御プログラムによって作動するスキャナ１の作動を示すフローチャートである。図１に示すフローチャートは、原稿ホルダ１０２に３５ｍｍストリップフィルム又は３５ｍｍマウントフィルムがセットされている場合の処理の流れを示している。
ステップＳ１０では、スキャナ１はプレスキャン領域を低解像度で読み取り、各フレームのプレスキャン画像を生成する。具体的には、プレスキャン画像取得部１４６として機能している制御部１３０と撮像部１２が協働することにより、１又は２フレーム以上のプレスキャン画像を生成する。プレスキャン画像を生成するとき、撮像部１２の解像度は例えば１００ｄｐｉに設定する。
【００２８】
ステップＳ１２では、スキャナ１は各フレームのプレスキャン画像を画面表示し、印刷対象とするフレームの選択操作を受け付ける。具体的には、制御部１３０が表示部１３８の画面１３８０に例えば図６に示す画像選択メニューを表示し、十字キー１３６０が押下されることによって操作部１３６から出力される信号に応じて制御部１３０が印刷対象のフレームを設定する。
【００２９】
ステップＳ１４では、スキャナ１は印刷対象フレームについて印刷設定操作を受け付ける。具体的には、印刷設定部１４０として機能している制御部１３０が表示部１３８の画面１３８０に例えば図７に示す印刷設定メニューを表示する。印刷設定メニューでは、十字キー１３６０によって設定項目として、用紙種類と、印刷用紙サイズと、トリミング枠と、印刷品質と、フチ処理とを選択可能である。用紙種類は写真用紙、普通用紙等が選択可能に表示される。印刷用紙サイズはＡ３ノビ、Ａ３、Ａ４、ハガキ、Ｌ、２Ｌ等が選択可能に表示される。トリミング枠のアスペクト比の設定としては用紙比率又は任意比率が選択可能に表示される。印刷品質は高精細又は高速が選択可能に表示される。フチ処理の設定としてはフチあり又はフチ無しが選択可能に表示される。
【００３０】
ステップＳ１６では、スキャナ１は、印刷対象フレームについて、印刷用紙サイズのアスペクト比に対応するアスペクト比の読み取り領域を示す矩形枠とプレスキャン画像とを重ねて画面表示する。具体的には、範囲変更部１４２として機能している制御部１３０は、例えば図８に示すように、印刷対象フレームのプレスキャン画像１３８４と、印刷用紙サイズのアスペクト比と同一のアスペクト比の矩形枠１３８２とを表示部１３８の画面１３８０に表示する。このとき、矩形枠１３８２の大きさは、例えばプレスキャン画像１３８４のサイズの７０％の大きさとする。矩形枠１３８２をプレスキャン画像１３８４より小さくすることにより、矩形枠１３８２をプレスキャン画像内で移動可能になる。
【００３１】
ステップＳ１８では、スキャナ１は矩形枠１３８２の位置の確定操作が行われたか否かを判定し、確定操作が行われるとステップＳ２４に進み、行われないとステップＳ２０に進む。具体的には、範囲変更部１４２として機能している制御部１３０は、ＯＫキー１３６２が押下されたか否かによって確定操作の有無を判定する。
ステップＳ２０では、スキャナ１は、矩形枠１３８２の移動操作を受け付けたか判定し、移動操作を受け付けるとステップＳ２２に進み、受け付けないとステップＳ１８に進む。具体的には、範囲変更部１４２として機能している制御部１３０は、十字キー１３６０が押下されたか否かによって移動操作の有無を判定する。
【００３２】
ステップＳ２２では、スキャナ１は、矩形枠１３８２を移動させる。具体的には、範囲変更部１４２として機能している制御部１３０は、十字キー１３６０が押下されることによって操作部１３６から出力される信号に応じて、例えば図９に示すように、矩形枠１３８２を画面１３８０上で平行移動させる。このとき、読み取り範囲設定部１４８は読み取り領域を矩形枠１３８２の移動に応じて変更してもよいし、矩形枠１３８２の位置及び大きさが完全に確定してから変更してもよい。ステップＳ２０及びステップＳ２２は、矩形枠１３８２の位置の確定操作が行われるまで繰り返される。
【００３３】
ステップＳ２４では、スキャナ１は、矩形枠の大きさの確定操作が行われたか否かを判定し、確定操作が行われるとステップＳ３０に進み、行われないとステップＳ２６に進む。具体的には、範囲変更部１４２として機能している制御部１３０は、ＯＫキー１３６２が押下されたか否かによって大きさの確定操作の有無を判定する。
ステップＳ２６では、スキャナ１は、矩形枠の拡大縮小操作を受け付けたか判定し、拡大縮小操作を受け付けるとステップＳ２８に進み、受け付けないとステップＳ２４に進む。具体的には、範囲変更部１４２として機能している制御部１３０は、十字キー１３６０が押下されたか否かによって拡大縮小操作の有無を判定する。
【００３４】
ステップＳ２８では、スキャナ１は矩形枠の右下角位置を矩形枠１３８２の対角線方向に移動させる。これによって、矩形枠１３８２はアスペクト比が一定に維持された状態で拡大又は縮小される。具体的には、範囲変更部１４２として機能している制御部１３０は、十字キー１３６０が押下されることによって操作部１３６から出力される信号に応じて、例えば図１０に示すように、矩形枠１３８２の右下角を画面１３８０上で矩形枠１３８２の対角線方向に移動させる。このとき、読み取り範囲設定部１４８は、読み取り領域の右下角を、矩形枠１３８２の右下角に応じて変更してもよいし、矩形枠１３８２の位置及び大きさが完全に確定してから変更してもよい。また、範囲変更部１４２は、矩形枠１３８２の左上角が十字キー１３６０の操作によって動かないことを明示するための原点マーク１３８６を画面１３８０に表示してもよい。ステップＳ２６及びステップＳ２８は、矩形枠１３８２の大きさの確定操作が行われるまで繰り返される。
【００３５】
ステップＳ３０では、プレスキャン画像１３８４の矩形枠内を切り出し、切り出したスキャン画像を画面表示する。具体的には、範囲変更部１４２として機能している制御部１３０は、プレスキャン画像１３８４の矩形枠内を切り出し、切り出したスキャン画像を、図１１に示すように表示部１３の画面全体に拡大表示する。プレスキャン画像１３８４の矩形枠内を拡大表示することにより、ユーザは読み取り範囲を細かく設定可能になる。
【００３６】
ステップＳ３２では、スキャナ１は、読み取り範囲の位置及び大きさを完全に確定させる操作が行われたか否かを判定し、確定操作が行われるとステップＳ３４に進み、行われないとステップＳ１８に進んでさらに矩形枠１３８２の変更操作を続ける。具体的には、範囲変更部１４２として機能している制御部１３０は、ＯＫキー１３６２が押下されたか否かによって完全な確定操作の有無を判定する。
【００３７】
ステップＳ３４では、スキャナ１は、印刷用紙サイズ及び印刷品質に応じた解像度で、矩形枠に対応した読み取り範囲を読み取り、スキャン画像を生成する。具体的には、読み取り範囲設定部１４８は、矩形枠１３８２に応じて読み取り範囲を設定する。解像度設定部１４４は、矩形枠１３８２に応じて決まる読み取り範囲と、印刷品質と印刷用紙サイズとに応じてスキャン画像のサイズを特定し、スキャン画像のサイズと読み取り範囲に応じて解像度を設定する。結果的には、スキャン画像の対角線サイズがＸ、矩形枠１３８２の対角線サイズがＹ、プレスキャン画像の生成時の撮像部１２の解像度が１００ｄｐｉであるとすると、スキャン画像生成時の解像度は、１００×Ｘ／Ｙである。スキャン画像取得部１５０は、読み取り範囲設定部１４８で設定された読み取り範囲を解像度設定部１４４で設定された解像度で撮像部１２に読み取らせ、撮像部１２からスキャン画像を取得する。
【００３８】
ステップＳ３６では、スキャナ１は、印刷設定に応じてプリンタ２にスキャン画像を印刷させる。具体的には、印刷制御部１５２は、スキャン画像にハーフトーン処理、インターレース処理等を施して印刷データを生成し、印刷設定に応じた印刷コマンドと印刷データをプリンタ２に出力する。プリンタ２は印刷コマンドと印刷データに応じてスキャン画像を印刷する。
【００３９】
ステップＳ３８では、スキャナ１はユーザによって終了操作が行われたかを判定し、終了操作が行われない場合は、ステップＳ１２に進み、上述の処理を繰り返す。
以上説明した本発明の実施例によると、スキャナ１は印刷用紙サイズに応じた適切な領域のスキャン画像を無駄なく取得することができる。すなわちスキャナ１は、ユーザが意図していない画像周辺の切り捨てが生じないように、そのまま印刷できるサイズのスキャン画像を取得するため、スキャン画像の取得処理及び印刷処理に無駄がない。また、ユーザは印刷用紙サイズを設定するだけで印刷用紙サイズに最適なアスペクト比の読み取り範囲を設定できるため、読み取り範囲の設定が容易である。またスキャナ１は、印刷用紙サイズに応じて撮像部１２の解像度を自動設定するため、印刷品質を高く維持しつつ、読み取りから印刷までの処理を高速化することができる。比較的小さな印刷用紙サイズが設定されている場合には、撮像部１２の解像度を比較的低く設定しても印刷品質を高く維持することができるからである。またスキャナ１は、印刷品質に応じて撮像部１２の解像度を自動設定するため、印刷品質に応じて読み取りから印刷までの処理を高速化することができる。
【００４０】
なお、上述した実施例では、請求項に記載した撮像制御装置がスキャナ１にある形態を説明したが、スキャナを制御するＰＣを撮像制御装置として本発明を実施することもできる。すなわち、スキャナ及びＰＣで撮像システムを構成し、ＰＣでコピー機能を実現するための制御プログラム（本発明の撮像制御プログラムに相当する。）を実行し、ＰＣの制御下でスキャナが原稿を読み取って得たスキャン画像をＰＣの制御下でプリンタが印刷してもよい。この場合、ＰＣのマウス、ディスプレイ、キーボード等が請求項に記載の用紙設定手段及び範囲変更手段に相当することになる。
また、上述した実施例では、読み取り範囲に対応した矩形枠の変更操作を可能な形態を説明したが、変更操作不能な矩形枠を印刷用紙サイズに応じて設定してもよい。
【図面の簡単な説明】
【００４１】
【図１】本発明の一実施例によるスキャナの作動を示すフローチャート。
【図２】本発明の一実施例によるスキャナの外観を示す斜視図。
【図３】本発明の一実施例によるスキャナの内部構造を示す模式図。
【図４】本発明の一実施例によるスキャナを示すブロック図。
【図５】本発明の一実施例による制御プログラムを示すブロック図。
【図６】本発明の一実施例に係る画面を示す図。
【図７】本発明の一実施例に係る画面を示す図。
【図８】本発明の一実施例に係る画面及び操作部を示す図。
【図９】本発明の一実施例に係る画面及び操作部を示す図。
【図１０】本発明の一実施例に係る画面及び操作部を示す図。
【図１１】本発明の一実施例に係る画面及び操作部を示す図。
【符号の説明】
【００４２】
１ スキャナ（撮像システム）、２ プリンタ（印刷装置）、３ リムーバブルメモリ（外部記憶媒体）、１２ 撮像部、１３ 表示部（用紙設定手段、範囲変更手段）、１０４ 原稿、１３０ 制御部（撮像制御装置）、１３４ メモリコントローラ（保存手段）、１３６ 操作部（用紙設定手段、範囲変更手段）、１３８ 表示部（用紙設定手段、範囲変更手段）、１３８２ 矩形枠（マーク）
【図１】
2005341228.tif 000003
【図２】
2005341228.tif 000004
【図３】
2005341228.tif 000005
【図４】
2005341228.tif 000006
【図５】
2005341228.tif 000007
【図６】
2005341228.tif 000008
【図７】
2005341228.tif 000009
【図８】
2005341228.tif 000010
【図９】
2005341228.tif 000011
【図１０】
2005341228.tif 000012
【図１１】
2005341228.tif 000013